【手続補正書】
【提出日】平成16年10月1日(2004.10.1)
【手続補正１】
【補正対象書類名】明細書
【補正対象項目名】特許請求の範囲
【補正方法】変更
【補正の内容】
【特許請求の範囲】
【請求項１】  以下を含有する相溶性ポリマーブレンド：
ａ）ポリイソブチレン、イソブチレンと１０重量％以下のイソプレンとのランダムコポリマー、イソブチレンと１０％重量以下のイソプレンとのハロゲン化ランダムコポリマー、イソブチレンと２０重量％以下のパラアルキルスチレンとのランダムコポリマー、イソブチレンと２０重量％以下のパラアルキルスチレンとのハロゲン化ランダムコポリマー、及びそれらの混合物からなる群より選択されるイソブチレンポリマー；
ｂ）少なくとも１つのオレフィン系不飽和ジエンポリマー；及び
ｃ）少なくとも１つのポリイソブチレン繰り返し部分及びＣ４〜Ｃ６のアルキル環置換スチレンまたは環置換α−メチルスチレンを有する少なくとも１つの繰り返し部分からなるブロックコポリマーを含む成分（ａ）及び（ｂ）のための相溶化剤。
【請求項２】  相溶化剤が、イソブチレンとパラ−ｔ−ブチルスチレンのコポリマーを含有する、請求項１に記載の組成物。
【請求項３】  以下を含む、相溶性ポリマーブレンド：
ａ）ポリイソブチレン、イソブチレンと１０重量％以下のイソプレンとのランダムコポリマー、イソブチレンと１０％重量以下のイソプレンとのハロゲン化ランダムコポリマー、イソブチレンと２０重量％以下のパラメチルスチレンとのランダムコポリマー、イソブチレンと２０重量％以下のパラメチルスチレンとのハロゲン化ランダムコポリマー、及びそれらの混合物からなる群より選択されるイソブチレンポリマー；
ｂ）ポリブタジエン、合成ポリイソプレン、天然ゴム、スチレンまたはアクリロニトリルとブタジエンとのエラストマーコポリマー、ポリクロロプレンまたはそれらの混合物からなる群より選択される、少なくとも１つのオレフィン系不飽和ジエンポリマー；及び
ｃ）少なくとも１つのポリイソブチレン繰り返し部分及びパラ−ｔ−ブチルスチレンを有する少なくとも１つの繰り返し部分からなるブロックコポリマーを含む成分（ａ）及び（ｂ）のための相溶化剤。
【請求項４】  以下を含む、相溶性ポリマーブレンド：
ａ）ポリイソブチレン、イソブチレンと１０重量％以下のイソプレンとのランダムコポリマー、イソブチレンと１０％重量以下のイソプレンとのハロゲン化ランダムコポリマー、イソブチレンと２０重量％以下のパラアルキルスチレンとのランダムコポリマー、イソブチレンと２０重量％以下のパラアルキルスチレンとのハロゲン化ランダムコポリマーまたはそれらの混合物からなる群より選択されるイソブチレンポリマー；
ｂ）少なくとも１つのオレフィン系不飽和ジエンポリマー；及び
ｃ）イソブチレンとパラ−ｔ−ブチルスチレンのコポリマーを含有する相溶化剤であって、ＧＰＣ数平均分子量が１０，０００〜５００，０００である、ｔｂＳ−ｉＢジブロックコポリマーまたはｔｂＳ−ｉＢ−ｔｂＳ若しくはｉＢ−ｔｂＳ−ｉＢトリブロックコポリマーを含有し、少なくとも１０重量％のパラ−ｔ−ブチルスチレンを含む相溶化剤。
【請求項５】  相溶化剤が、ＧＰＣ数平均分子量１０，０００〜５００，０００であるｔｂＳ−ｉＢジブロックコポリマーまたはｔｂＳ−ｉＢ−ｔｂＳ若しくはｉＢ−ｔｂＳ−ｉＢトリブロックコポリマーを含有し、少なくとも１０重量％のパラ−ｔ−ブチルスチレンを含む、請求項２または３に記載の組成物。
【請求項６】  成分（ａ）及び（ｂ）が、（ａ）９５〜５重量部、（ｂ）５〜９５重量部の割合で存在する、請求項１、３及び４のいずれかに記載の組成物。
【請求項７】  相溶化剤が、ブレンドポリマー含有量に基づいて、組成物中２〜２０重量％である、請求項６に記載の組成物。
【請求項８】  相溶化剤が、ＧＰＣ数平均分子量５０，０００〜２００，０００であるｔｂＳ−ｉＢジブロックまたはｔｂＳ−ｉＢ−ｔｂＳトリブロックコポリマーである、請求項１〜５のいずれかに記載の組成物。
【請求項９】  イソブチレンポリマー（ａ）が、イソブチレンとパラメチルスチレンのコポリマーを含有する、請求項１、３及び４のいずれかに記載の組成物。
【請求項１０】  イソブチレンポリマー（ａ）が、ベンジル型塩素または臭素を含んだ、イソブチレンとパラメチルスチレンのハロゲン化コポリマーである、請求項９に記載の組成物。
【請求項１１】  オレフィン系不飽和ジエンポリマーが、ポリブタジエン、合成ポリイソプレン、天然ゴム、スチレンまたはアクリロニトリルとブタジエンとのエラストマーコポリマー、ポリクロロプレンまたはそれらの混合物からなる群より選択されるエラストマーである、請求項１、３及び４のいずれかに記載の組成物。
【請求項１２】  ポリマーブレンドを加硫、硬化または架橋した、請求項１〜１１のいず  れかに記載の組成物。
【請求項１３】  相溶性ポリマーブレンドを形成する方法であって、以下を組み合わせる方法：
ａ）ポリイソブチレン、イソブチレンと１０重量％以下のイソプレンとのランダムコポリマー、イソブチレンと１０％重量以下のイソプレンとのハロゲン化ランダムコポリマー、イソブチレンと２０重量％以下のパラアルキルスチレンとのランダムコポリマー、イソブチレンと２０重量％以下のパラアルキルスチレンとのハロゲン化ランダムコポリマー及びそれらの混合物からなる群より選択されるイソブチレンポリマー；
ｂ）少なくとも１つのオレフィン系不飽和ジエンポリマー；及び
ｃ）少なくとも１つのポリイソブチレン繰り返し部分及びＣ４〜Ｃ６のアルキル環置換スチレンまたは環置換α−メチルスチレンを有する少なくとも１つの繰り返し部分からなるブロックコポリマーを含む成分（ａ）及び（ｂ）のための相溶化剤。
【請求項１４】  相溶化剤が、イソブチレンとパラ−ｔ−ブチルスチレンのコポリマーを含有する、請求項１３に記載の方法。
【請求項１５】  相溶化剤が、ＧＰＣ数平均分子量１０，０００〜５００，０００であるｔｂＳ−ｉＢジブロックコポリマーまたはｔｂＳ−ｉＢ−ｔｂＳ若しくはｉＢ−ｔｂＳ−ｉＢトリブロックコポリマーを含有し、少なくとも１０重量％のパラ−ｔ−ブチルスチレンを含む、請求項１４に記載の方法。
【請求項１６】  成分（ａ）及び（ｂ）が、（ａ）９５〜５重量部、（ｂ）５〜９５重量部の割合で存在する、請求項１５に記載の方法。
【請求項１７】  相溶化剤が、ブレンドポリマー含有量に基づいて、２〜２０重量％である、請求項１６に記載の方法。
【請求項１８】  相溶化剤が、ＧＰＣ数平均分子量５０，０００〜２００，０００であるｔｂＳ−ｉＢジブロックまたはｔｂＳ−ｉＢ−ｔｂＳトリブロックコポリマーである、請求項１７に記載の方法。
【請求項１９】  イソブチレンポリマー（ａ）が、イソブチレンとパラメチルスチレンのコポリマーを含有する、請求項１３に記載の方法。
【請求項２０】  イソブチレンポリマー（ａ）が、ベンジル型塩素または臭素を含んだ、イソブチレンとパラメチルスチレンのハロゲン化コポリマーである、請求項１９に記載の方法。
【請求項２１】  オレフィン系不飽和ジエンポリマーが、ポリブタジエン、合成ポリイソプレン、天然ゴム、スチレンまたはアクリロニトリルとブタジエンとのエラストマーコポリマー、ポリクロロプレンまたはそれらの混合物からなる群より選択されるエラストマーである、請求項１３に記載の方法。
【請求項２２】  さらに加硫、架橋または硬化処理を含む、請求項１３〜２１に記載の方法。